(57)【要約】本発明は通信ネットワークにおける通知のスロットルと速度制限に関し、具体的には、通信ネットワーク、例えば、プレゼンス・システムを備える通信ネットワークを運用する方法とデバイスに関する。本発明は、エンティティと通信するため通信ネットワークを運用する方法を提供する。本方法は以下のステップを備える。即ち、本方法は、第１のエンティティからの種々のパラメータに対する複数の遅延パラメータ値を示す第１のメッセージを受信するステップと、第２のエンティティから第２のメッセージを受信するステップと、受信した第２のメッセージと第１のメッセージの遅延パラメータ値とに依存して、当該通信ネットワークの遅延パラメータ値を選択するステップと、選択した遅延パラメータ値に従って第１のエンティティに通知を送信するステップとを含む。更に、本発明は本方法を実装するデバイスに関する。
2011511529.tif 000002
【特許請求の範囲】
【請求項１】
複数のエンティティと通信を行う通信ネットワークを運用する方法であって、
種々のパラメータに対する複数の遅延パラメータ値（Ｄ１，Ｄ２）を示す第１のメッセージ（２００）を第１のエンティティ（１０４）から受信するステップと、
第２のメッセージ（２０４，２０６）を第２のエンティティ（１０６，１０６’）から受信するステップと、
受信した前記第２のメッセージ（２０４，２０６）と前記第１のメッセージ（２００）における前記遅延パラメータ値（Ｄ１，Ｄ２）とに依存して、遅延パラメータ値（Ｄ１，Ｄ２）を選択するステップと、
選択した前記遅延パラメータ値（Ｄ１，Ｄ２）に従って前記第１のエンティティ（１０４）に通知（２０８，２１０）を送信するステップと
を含むことを特徴とする方法。
【請求項２】
前記第１のメッセージを受信する前記ステップは、予約メッセージを受信するステップを含むことを特徴とする請求項１に記載の方法。
【請求項３】
前記第１のメッセージを受信する前記ステップは、ＰＵＴメッセージを受信するステップを含むことを特徴とする請求項１又は２に記載の方法。
【請求項４】
前記第２のメッセージを受信する前記ステップは、公開メッセージを受信するステップを含むことを特徴とする請求項１乃至３の何れか１項に記載の方法。
【請求項５】
前記第２のメッセージを受信する前記ステップは、予約メッセージを受信するステップを含むことを特徴とする請求項１乃至４の何れか１項に記載の方法。
【請求項６】
前記第２のメッセージを受信する前記ステップは、ＰＵＴメッセージを受信するステップを含むことを特徴とする請求項１乃至５の何れか１項に記載の方法。
【請求項７】
前記第２のメッセージを受信する前記ステップは、通知メッセージを受信するステップを含むことを特徴とする請求項１乃至６の何れか１項に記載の方法。
【請求項８】
前記第１のメッセージにおける前記遅延パラメータ値は、１つ以上のプレゼンス属性に適用することを特徴とする請求項１乃至７の何れか１項に記載の方法。
【請求項９】
前記第１のメッセージにおける前記遅延パラメータ値は、１つ以上のプレゼンティティに適用することを特徴とする請求項１乃至８の何れか１項に記載の方法。
【請求項１０】
前記遅延パラメータ値を選択する前記ステップは、
前記第２のメッセージが第１のプレゼンス・パラメータを有している場合に、第１の遅延パラメータ値（Ｄ１）を選択するステップと、
前記第２のメッセージが第２のプレゼンス・パラメータを有している場合に、異なる第２の遅延パラメータ値（Ｄ２）を選択するステップと
を含むことを特徴とする請求項１乃至９の何れか１項に記載の方法。
【請求項１１】
前記通知を送信する前記ステップは、ウォッチャに更新したプレゼンス・データを含む通知を送信するステップを含むことを特徴とする請求項１乃至１０の何れか１項に記載の方法。
【請求項１２】
前記通知を送信する前記ステップは、ウォッチャについてウォッチャ情報を含む通知をウォッチャ情報加入者に送信するステップを含むことを特徴とする請求項１乃至１１の何れか１項に記載の方法。
【請求項１３】
前記通知を送信する前記ステップは、プレゼンス・システムにおけるＸＤＭサーバでのドキュメント変更についての通知を加入者に送信するステップを含むことを特徴とする請求項１乃至１２の何れか１項に記載の方法。
【請求項１４】
前記遅延パラメータ値を選択する前記ステップは、スロットル値を選択するステップを含むことを特徴とする請求項１乃至１３の何れか１項に記載の方法。
【請求項１５】
前記遅延パラメータ値を選択する前記ステップは、速度制限値を選択するステップを含むことを特徴とする請求項１乃至１４の何れか１項に記載の方法。
【請求項１６】
プレゼンス・システムのメモリに種々のパラメータ値に対する前記遅延パラメータ値（Ｄ１，Ｄ２）を記憶するステップをさらに含むことを特徴とする請求項１乃至１５の何れか１項に記載の方法。
【請求項１７】
複数のエンティティと通信を行うためのプレゼンス・システム（１０２）におけるプレゼンス・サーバ（１０３）であって、
メモリを備え、
種々のプレゼンス・パラメータに対する複数の遅延パラメータ値（Ｄ１，Ｄ２）を示す第１のメッセージ（２００）を第１のエンティティ（１０４）から受信し、
第２のメッセージ（２０４，２０６）を第２のエンティティ（１０６，１０６’）から受信し、
受信した前記第２のメッセージ（２０４，２０６）と前記第１のメッセージ（２００）における前記遅延パラメータ値（Ｄ１，Ｄ２）とに依存して、前記プレゼンス・システムにおける遅延パラメータ値（Ｄ１，Ｄ２）を選択し、
選択した前記遅延パラメータ値（Ｄ１，Ｄ２）に従って前記第１のエンティティ（１０４）に通知（２０８，２１０）を送信する
ように適合されたことを特徴とするプレゼンス・サーバ。
【請求項１８】
前記第１のメッセージは、種々のパラメータに対する前記遅延パラメータ値を識別するフィルタを含む予約メッセージであることを特徴とする請求項１７に記載のプレゼンス・サーバ。
【請求項１９】
前記第１のメッセージは、種々のパラメータに対する前記遅延パラメータ値を識別するＰＵＴメッセージであることを特徴とする請求項１７又は１８に記載のプレゼンス・サーバ。
【請求項２０】
前記第２のメッセージは、公開メッセージであることを特徴とする請求項１７乃至１９の何れか１項に記載のプレゼンス・サーバ。
【請求項２１】
前記第２のメッセージは、予約メッセージであることを特徴とする請求項１７乃至１９の何れか１項に記載のプレゼンス・サーバ。
【請求項２２】
前記第２のメッセージは、ＰＵＴメッセージであることを特徴とする請求項１７乃至１９の何れか１項に記載のプレゼンス・サーバ。
【請求項２３】
前記第１のメッセージにおける前記遅延パラメータ値は、１つ以上のプレゼンス属性を適用することを特徴とする請求項１７乃至２２に記載のプレゼンス・サーバ。
【請求項２４】
前記第１のメッセージにおける前記遅延パラメータ値は、１つ以上のプレゼンティティを適用することを特徴とする請求項１７乃至２３に記載のプレゼンス・サーバ。
【請求項２５】
前記第２のメッセージが第１のプレゼンス・パラメータを有している場合に、第１の遅延パラメータ値を選択し、
前記第２のメッセージが第２のプレゼンス・パラメータを有している場合に、異なる第２の遅延パラメータ値を選択するように更に適合されていることを特徴とする請求項１７乃至２４の何れか１項に記載のプレゼンス・サーバ。
【請求項２６】
更新したプレゼンス・データを含む通知を送信するように更に適合されていることを特徴とする請求項１７乃至２５の何れか１項に記載のプレゼンス・サーバ。
【請求項２７】
ウォッチャについてのウォッチャ情報を含む通知を送信するように更に適合されていることを特徴とする請求項１７乃至２６の何れか１項に記載のプレゼンス・サーバ。
【請求項２８】
前記プレゼンス・システムにおけるＸＤＭサーバでのドキュメント変更についての通知を送信するように更に適合されていることを特徴とする請求項１７乃至２７の何れか１項に記載のプレゼンス・サーバ。
【請求項２９】
スロットル値を選択し、選択した前記スロットル値に従って通知を送信するように更に適合されていることを特徴とする請求項１７乃至２８の何れか１項に記載のプレゼンス・サーバ。
【請求項３０】
速度制限値を選択し、選択した前記速度制限値に従って通知を送信するように更に適合されていることを特徴とする請求項１７乃至２９の何れか１項に記載のプレゼンス・サーバ。
【請求項３１】
前記プレゼンス・システム（１０２）のメモリに種々のパラメータ値に対する前記遅延パラメータ値を記憶するように更に適合されていることを特徴とする請求項１７乃至３０の何れか１項に記載のプレゼンス・サーバ。
【請求項３２】
複数のエンティティ（１０３，１０４，１０６）と通信を行うためのプレゼンス・システム（１０２）におけるリソース・リスト・サーバ（１１２）であって、
種々のパラメータに対する複数の遅延パラメータ値（Ｄ１，Ｄ２）を示す第１のメッセージ（２００）を第１のエンティティ（１０４）から受信し、
第２のメッセージ（２０４，２０６）を第２のエンティティ（１０３）から受信し、
受信した前記第２のメッセージ（２０４，２０６）と前記第１のメッセージ（２００）における前記遅延パラメータ値（Ｄ１，Ｄ２）とに依存して、遅延パラメータ値（Ｄ１，Ｄ２）を選択し、
選択した前記遅延パラメータ値（Ｄ１，Ｄ２）に従って前記第１のエンティティ（１０４）に通知（２０８，２１０）を送信する
ように適合されていることを特徴とするリソース・リスト・サーバ。
【請求項３３】
プレゼンス・システム（１０２）を含む通信ネットワーク（１００）におけるウォッチャ・エンティティ（１０４）であって、
種々のパラメータに対する複数の遅延パラメータ値を示す第１のメッセージを前記プレゼンス・システムに送信するように適合されていることを特徴とするウォッチャ・エンティティ。
【請求項３４】
前記第１のメッセージは、第１のプレゼンス・パラメータに対する第１の遅延パラメータ値と、第２のプレゼンス・パラメータに対する第２の遅延パラメータ値とを含むことを特徴とする請求項３３に記載のウォッチャ・エンティティ。
【請求項３５】
前記プレゼンス・パラメータは、第１のプレゼンス属性と第２のプレゼンス属性とを含むことを特徴とする請求項３３又は３４に記載のウォッチャ・エンティティ。
【請求項３６】
前記プレゼンス・パラメータは、第１のプレゼンティティと第２のプレゼンスティティとを含むことを特徴とする請求項３３乃至３５の何れか１項に記載のウォッチャ・エンティティ。
【請求項３７】
前記第１のメッセージは、前記遅延パラメータ値とともにフィルタを含む予約メッセージであることを特徴とする請求項３３乃至３６の何れか１項に記載のウォッチャ・エンティティ。
【請求項３８】
前記第１のメッセージは、前記遅延パラメータ値とともにリソース・リストを含むＰＵＴメッセージであることを特徴とする請求項３３乃至３６の何れか１項に記載のウォッチャ・エンティティ。
【請求項３９】
前記ウォッチャ・エンティティは移動端末であることを特徴とする請求項３３乃至３７の何れか１項に記載のウォッチャ・エンティティ。
【請求項４０】
第１のエンティティ（３０２）と第２のエンティティ（３０４）とを含む複数のエンティティと通信を行う通信ネットワークにおけるＸＤＭサーバ（３００）であって、
種々のドキュメントに対する複数の遅延パラメータ値（Ｄ１，Ｄ２）を示す第１のメッセージ（２００）をエンティティ（３０２，３０４）から受信し、
第２のメッセージ（２０４，２０６）を前記第２のエンティティ（３０４）から受信し、
受信した前記第２のメッセージ（２０４，２０６）と前記第１のメッセージ（２００）における前記遅延パラメータ値（Ｄ１，Ｄ２）とに依存して、遅延パラメータ値（Ｄ１，Ｄ２）を選択し、
選択した前記遅延パラメータ値（Ｄ１，Ｄ２）に従って前記第１のエンティティ（３０２）に通知（２０８，２１０）を送信する
ように適合されていることを特徴とするリソース・リスト・サーバ。
【請求項４１】
前記第１のエンティティ（３０２）から前記第１のメッセージを受信するように更に適合されていることを特徴とする請求項４０に記載のＸＤＭサーバ。
【請求項４２】
前記第２のエンティティ（３０４）から前記第１のメッセージを受信するように更に適合されていることを特徴とする請求項４１に記載のＸＤＭサーバ。
【発明の詳細な説明】
【技術分野】
【０００１】
本発明は通信ネットワークにおける通知のスロットルと速度制限に関し、具体的には、通信ネットワーク、例えば、プレゼンス・システムを備える通信ネットワークを運用する方法とデバイスに関する。
【背景技術】
【０００２】
現在のＩＥＴＦドキュメント、例えば、ドラフト−ニエミ−シッピング−イベント−スロットル−０５は、通知のスロットルと速度制限を規定している。プレゼンスを予約しているクライアントがスロットル値を設定してもよく、速度制限は、サーバにおいて通知回数に関して設定されてもよい。スロットルおよび速度制限は、通信ネットワークで、具体的には、移動または無線通信ネットワークにおけるエア・インタフェースを介して送信されるメッセージ数を低減するのに有益である。
【０００３】
現在の標準機能では、スロットルは、通信ネットワークの加入者が加入している全サービス／イベントにマッピングされる。
【０００４】
特許文献１では、プレゼンティティからの公開頻度を低減するため、プレゼンティティおよびプレゼンス・サーバが決定する選択的速度制限について説明している。
【０００５】
通信ネットワーク、例えば、プレゼンス・ネットワークで、具体的にはエア・インタフェースを介して、シグナリングを更に制御する必要がある。
【先行技術文献】
【特許文献】
【０００６】
【特許文献１】国際公開第２００７／０６９９９２号パンフレット
【発明の概要】
【発明が解決しようとする課題】
【０００７】
従って、本発明は、プレゼンス・ネットワークにおいてシグナリングを制御し、最適化することを目的とする。
【０００８】
更に、本発明は、加入者の通知に対するユーザ経験を改善することを目的とする。
【課題を解決するための手段】
【０００９】
したがって、例えば複数のエンティティと通信する適合プレゼンス・システムを含む通信ネットワークを運用する方法を提供し、その方法は、第１のエンティティからのプレゼンス・パラメータのような種々のパラメータに対する遅延パラメータ値を示す第１のメッセージを受信するステップと、；第２のエンティティからの第２のメッセージを受信するステップと；受信した第２のメッセージと第１のメッセージの遅延パラメータ値とに依存して、遅延パラメータ値を選択するステップと；選択した遅延パラメータ値に従って第１のエンティティに通知を送信するステップとを含む。
【００１０】
種々のパラメータは、プレゼンティティのようなプレゼンス属性および／またはプレゼンス・コンタクトであってもよい。
【００１１】
加入者が通知の内容の異なる部分のスロットルを差別化できるということは、本発明の重要な利点である。
【００１２】
例えば、プレゼンスに適合したネットワークの加入者、例えば、ウォッチャが、通知すべき異なる形式のデータに対してスロットル値を制御、例えば、制限または増加できるということは、本発明の重要な利点である。それによって、本発明により、加入者は、種々の形式のデータ、例えば、改善した利便性を提供するプレゼンス属性および／またはプレゼンス・コンタクトのようなプレゼンス・データを、選択的にそして個別的に設定できる。
【００１３】
本発明の更なる側面により、エンティティと通信し、メモリを備えるプレゼンス・システムのためにプレゼンス・サーバを提供する。プレゼンス・サーバは適合、第１のエンティティから種々のプレゼンス・パラメータに対する複数の遅延パラメータ値を示す第１のメッセージを受信し、第２のエンティティから第２のメッセージを受信し、受信した第２のメッセージと第１のメッセージの遅延パラメータ値とに依存して、プレゼンス・システムの遅延パラメータ値を選択し、し、選択した遅延パラメータ値により第１のエンティティに通知を送信するように適合される。
【００１４】
更に、エンティティ、例えば、プレゼンス・サーバ、ウォッチャおよびＲＬＳ  ＸＤＭＳと通信するプレゼンス・システムのためのリソース・リスト・サーバ（ＲＬＳ）を提供する。リソース・リスト・サーバは適合、第１のエンティティから種々のプレゼンス・パラメータに対する複数の遅延パラメータ値を示す第１のメッセージを受信し、第２のエンティティから第２のメッセージを受信し、受信した第２のメッセージと第１のメッセージの遅延パラメータ値とに依存して遅延パラメータ値を選択し、選択した遅延パラメータ値により第１のエンティティに通知を送信するように適合される。
【００１５】
本発明の更なる側面により、プレゼンス・システムを備える通信ネットワークのウォッチャ・エンティティを備え、ウォッチャ・エンティティは、第１のメッセージをプレゼンス・システムに送信するよう適合させ、第１のメッセージには、例えば、第１のプレゼンス・パラメータに第１の遅延パラメータを、そして第２のプレゼンス・パラメータに第２の遅延パラメータを含むというように、種々のプレゼンス・パラメータに対する複数の遅延パラメータ値を含む。
【００１６】
ウォッチャ・クライアントは、例えば、アプリケーション・サーバまたはユーザ装置のようなウォッチャを実装する通信ネットワークのエンティティであってもよく、例えば、移動端末、ＰＤＡ、ラップトップ、パーソナル・コンピュータ、サーバまたはその他の適当な装置に実装するか、またはそこで実行してもよい。
【００１７】
パラメータ、例えば、プレゼンス・パラメータは、第１のプレゼンス属性と第２のプレゼンス属性を含んでもよく、および／または第１のプレゼンティティと第２のプレゼンティティを含んでもよい。遅延パラメータを、異なるスロットル設定を区別するために使用する任意の適当なパラメータに設定してもよい。
【００１８】
更に本発明に従って、第１のエンティティと第２のエンティティとを含むエンティティと通信する通信ネットワークにＸＤＭサーバを提供する。ＸＤＭサーバは適合、エンティティ、例えば、第１のエンティティまたは第２のエンティティから種々のドキュメント、例えば、プレゼンス・ドキュメントに対する複数の遅延パラメータ値を示す第１のメッセージを受信し、第２のエンティティから第２のメッセージを受信し、受信した第２のメッセージと第１のメッセージの遅延パラメータ値とに依存して遅延パラメータ値を選択し、選択した遅延パラメータ値により第１のエンティティに通知を送信するように適合される。
【００１９】
本発明によるＸＤＭサーバは、ＸＤＭＳを備える任意のＩＭＳおよび／またはＳＩＰネットワークに採用してもよい。
【００２０】
１つの予約のみを有する加入者が、幾つかのコンタクトに対するプッシュ型予約とその他のコンタクトに対するプッシュ／プル型予約とを開始できるということは、本発明の重要な利点である。
【００２１】
もし加入者がトラヒックに対して支払いをしているなら、加入者が通知を制御し、優先順位を付けることができる、ということは重要である。従って、課金を適用された加入者が、通知に優先順位を付けることにより、例えば、異なるコンタクトおよび／または属性に関する通知に異なるスロットル値を設定することにより、通知のコストを制御し、最小化できることは、本発明の重要な利点である。
【００２２】
具体的には、本発明は、ＩＭＳ（ＩＰマルチメディア・サブシステム）および／またはＯＭＡ（オープン・モバイル・アライアンス）システムのようなプレゼンスＳＩＭＰＬＥ型通信ネットワークでの使用を意図している。しかしながら、本発明は、任意の通信ネットワークまたはプレゼンスを採用するネットワークに実装してもよい。
【００２３】
本発明の上記およびその他の特徴と利点は、それらについての以下の詳細な説明によって、具体的には、以下に示す添付の図面を参照して、それらの典型的な実施形態の詳細な説明によって、当業者には容易に明らかになるであろう。
【図面の簡単な説明】
【００２４】
【図１】本発明に係る方法の実施形態を示す図である。
【図２】本発明に係る方法を適用する通信ネットワークを概略的に示す図である。
【図３】本発明に係る方法を適用する通信ネットワークを概略的に示す図である。
【図４】本発明の実施形態に係る通信ネットワークにおけるシグナリングを示す図である。
【図５】本発明の実施形態に係る通信ネットワークにおけるシグナリングを示す図である。
【図６】プレゼンス属性にスロットルを適用する実施形態のシグナリングを示す図である。
【図７】、
【図８】、
【図９】、
【図１０】プレゼンティティにスロットルを適用する実施形態のシグナリングを示す図である。
【図１１】ウォッチャ情報にスロットルを適用する実施形態のシグナリングを示す図である。
【図１２】ドキュメント変更の予約にスロットルを適用する実施形態のシグナリングを示す図である。
【図１３】、
【図１４】、
【図１５】、
【図１６】ネットワークにおける異なるエンティティの実施形態の機能ブロック図を示す図である。
【発明を実施するための形態】
【００２５】
添付の図面は概略的で、明確化のために簡単化しており、本発明の理解に本質的な詳細を単に示すのみであり、その他の詳細は省略されている。全体にわたって、同じか対応する部分または特徴に同一の参照番号を使用している。
【００２６】
図１は、本発明による方法の実施形態を示す図である。エンティティと通信するために、通信ネットワーク、例えば、プレゼンス・システムを備える通信ネットワークを運用するための方法２には、第１のエンティティから第１のメッセージを受信するステップ４を備える。第１のメッセージは、種々のプレゼンス・パラメータに対する複数の遅延パラメータを表示する。更に、方法２には、第２のエンティティから第２のメッセージを受信するというステップ６を備え、続いて本方法は、受信した第２のメッセージと第１のメッセージの遅延パラメータ値とに依存して、プレゼンス・システムの遅延パラメータ値を選択するというステップ８に進む。遅延パラメータ値を選択して、本方法は、選択した遅延パラメータ値に従って第１のエンティティに通知を送信するというステップ１０に進む。
【００２７】
本発明による方法では、第１のメッセージおよび第２のメッセージは、種々の異なるメッセージであってもよい。
【００２８】
実施形態では、第１のメッセージは、例えば、プレゼンス・サーバまたはリソース・リスト・サーバのようなプレゼンス・システムにおけるエンティティに予約（サブスクリプション）メッセージを送信するウォッチャからの、プレゼンス・サーバに予約メッセージを送信してウォッチャ情報を予約するプレゼンティティからの、および／またはＸＤＭＳのようなドキュメント・サーバに予約メッセージを送信してシステムのドキュメント変更を予約するＸＤＭクライアントからの、予約メッセージであってもよい。加えてまたは代わりに、第１のメッセージは、例えば、プレゼンス・システムにリソース・リストを送信するウォッチャからのＰＵＴメッセージであってもよく、本リソース・リストは異なるコンタクトのための遅延パラメータを備えるものである。
【００２９】
更に、第２のメッセージは、例えば、プレゼンス・データを公開するプレゼンティティからの公開メッセージであってもよい。第２のメッセージは、例えば、プレゼンス・データを予約するウォッチャからの予約メッセージ、および／または、例えば、ＸＤＭＳにプレゼンス・データを送信するＸＤＭクライアントからのＰＵＴメッセージであってもよい。代わりとして、またはその他のメッセージ形式との組合せで、第２のメッセージは、例えば、プレゼンス・サーバからリソース・リスト・サーバへの通知メッセージであってもよいが、第２のメッセージはプレゼンティティのプレゼンス・データを通知するものである。
【００３０】
第１のメッセージに含まれる遅延パラメータ値は、１つ以上のプレゼンス属性に適用してもよい。例えば、第１の遅延パラメータ値を、気分、場所および同様なもののような第１のプレゼンス属性に設定してもよく、第２の遅延パラメータ値を、例えば、場所、気分および同様なもののような異なる第２のプレゼンス属性に設定してもよい。任意の数の遅延パラメータ値を第１のメッセージで設定してもよい。
【００３１】
第１のメッセージに備える遅延パラメータ値は、１つ以上のプレゼンティティまたはプレゼンス・コンタクトに適用してもよい。例えば、第１の遅延パラメータ値を、第１のプレゼンティティ、例えば人物Ａに設定してもよく、第２の遅延パラメータ値を、異なる第２のプレゼンティティ、例えば人物Ｂに設定してもよい。任意の数の遅延パラメータ値を第１のメッセージで任意の数のプレゼンティティに設定してもよい。本発明の実施形態では、第１のメッセージには、各プレゼンティティのために１つの集合の遅延パラメータ、例えば、各プレゼンティティのために最大と最小の遅延パラメータ値を備える。
【００３２】
第１のメッセージでは、１つのグループの属性および／または１つのグループのプレゼンティティに遅延パラメータ値を設定してもよい。
【００３３】
任意の適当な方法で、例えば、フィルタでおよび／またはＸＭＬドキュメント拡張または同様なもので、遅延パラメータ値を設定してもよい。
【００３４】
ユーザ制御性を更に改善するため、種々のプレゼンス・パラメータの組合せまたは集合に遅延パラメータ値を設定してもよい。
【００３５】
それ故、第１のメッセージでは、種々のプレゼンス・パラメータの組合せに遅延パラメータ値を設定してもよい。例えば、第１のプレゼンティティと第１の属性に第１の遅延パラメータを設定してもよく、第１のプレゼンティティと第２の属性に第２の遅延パラメータを設定してもよく、第２のプレゼンティティと第１の属性に第３の遅延パラメータを設定してもよく、および／または第２のプレゼンティティと第２の属性に第４の遅延パラメータを設定してもよい。
【００３６】
本発明による方法では、遅延パラメータ値を選択するステップでは、第２のメッセージに第１のプレゼンス・パラメータおよび／またはプレゼンス・パラメータの第１の組合せまたは集合が含まれる場合、第１の遅延パラメータ値を選択することを、そして第２のメッセージに第２のプレゼンス・パラメータおよび／またはプレゼンス・パラメータの第２の組合せまたは集合が含まれる場合、異なる第２の遅延パラメータ値を選択してもよい。
【００３７】
遅延パラメータ値を選択するステップでは、プレゼンス・パラメータに最大および／または最小遅延パラメータ値を、および／またはプレゼンス・パラメータの組合せまたは集合を選択してもよい。
【００３８】
本発明による方法の実施形態では、通知を送信するステップは、更新したプレゼンス・データを含む通知をウォッチャに送信するステップを含む。
【００３９】
更に、通知を送信するステップは、ウォッチャ、例えば、プレゼンティティについてウォッチャ情報、例えば、“ウォッチャＡ未決定”を備える通知をウォッチャ情報加入者に送信するステップを含んでもよい。
【００４０】
本発明による方法の実施形態では、通知を送信するステップは、プレゼンス・システムのＸＤＭサーバのドキュメント変更についての通知を加入者に送信するステップを含む。
【００４１】
遅延パラメータ値を選択するステップには、第１のメッセージで表示するスロットル値を選択するステップが含まれてもよい。
【００４２】
本発明の実施形態では、第１のメッセージが、あるプレゼンス・パラメータまたはプレゼンス・パラメータの組合せに遅延パラメータ値が含まれない場合、遅延パラメータ値を選択するステップには、速度制限値を選択するステップ、例えば、プレゼンス・システムのサーバから事前設定した遅延パラメータ値を選択するステップが含まれてもよい。
【００４３】
例えば、プレゼンス・サーバ、リソース・リスト・サーバ、またはプレゼンスＸＤＭＳのプレゼンス・システムのメモリに、種々のプレゼンス・パラメータに対する複数の遅延パラメータ値を記憶してもよい。
【００４４】
図２に、本発明による方法を適用する通信ネットワークを概略的に示す。通信ネットワーク１００は、プレゼンス機能を実装し、両方向矢印が示すように、例えば、ＳＩＰおよび／またはＸＣＡＰを介して、１つ以上のウォッチャ１０４と１つ以上のプレゼンス・ソース１０６、１０６’と通信する、プレゼンス・システム１０２を備えるＩＥＴＦ  ＳＩＭＰＬＥネットワークである。ネットワークでの通信には、任意の適当なプロトコルを使用してもよい。本発明により、加入者はシステムから送信される通知の量を選択的に制御（制限または増加）でき、それによって、予約についての異なるプレゼンス・パラメータに基づき、通知を差別化または優先順位を付けることができる。それ故、本発明により、より最適な加入者がプレゼンス・ネットワークにおけるシグナリングの制御を開始できるようになる、ということは利点である。
【００４５】
本通信ネットワークは、プレゼンスを実装する任意のネットワーク、例えば、オープン・モバイル・アライアンスが規定するようなネットワーク（例えば、２００７年１１月２８日付けＯＭＡ−ＴＳ−Ｐｒｅｓｅｎｃｅ＿ＳＩＭＰＬＥ−Ｖ２＿０−２００７１１２８−Ｄを参照、旧バージョンも適用可能）であってもよい。本通信ネットワークは、ＩＰマルチメディア・サブシステム（ＩＭＳ）ネットワークを備えるか、或いは構成してもよい。
【００４６】
本発明は、加入者がプレゼンス・システムから受信する通知の速度を制御するのに高い自由度を提供し、これは、具体的には、課金を適用する場合、通知のコストを効率よく最適化するため重要なことである。
【００４７】
図３は、図２のネットワークの実施形態を概略的に示す。通信ネットワーク１００は、本発明による方法を適用するＩＭＳネットワークである。プレゼンスＩＭＳネットワーク１００では、プレゼンス・システム１０２は、エンティティ・プレゼンス・サーバ（ＰＳ）１０３と、プレゼンス・ドキュメント・サーバ（プレゼンスＸＤＭＳ）１１０と、選択が自由のリソース・リスト・サーバ（ＲＬＳ）１１２と、リソース・リスト・ドキュメント・サーバ（ＲＬＳ  ＸＤＭＳ）１１４とを備える。プレゼンス・サーバ１０３とＲＬＳ１１２は、例えばＳＩＰを介し、１つ以上のウォッチャ１０４および１つ以上のプレゼンス・ソース１０６と、例えばＣＳＣＦ含むコア・ネットワーク１０８を介して通信を行う。
【００４８】
更に、プレゼンス・ソース１０６とウォッチャ１０４は、例えばＸＣＡＰを介し、プレゼンスＸＤＭＳ１１０とＲＬＳ  ＸＤＭＳ１１４において、例えばアグリゲーション・プロキシを備えるコア・ネットワーク１１６を介して、プレゼンス規則、プレゼンス・リスト、許可を更新してもよい。
【００４９】
プレゼンス・サーバ（ＰＳ）１０３は、プレゼンティティの１つまたは複数のプレゼンス・ソース１０４からの公開を処理し、１つまたは複数のプレゼンス・ソース１０４からのプレゼンス情報を構成し、ウォッチャ１０６からの予約をプレゼンス情報に処理し、そして課金が生じる場合はプレゼンス情報を更新することにより、プレゼンス情報を受け取り、記憶し、そして分配するエンティティである。プレゼンス・サーバ１０３は、プレゼンティティに関するドキュメント、例えば、ウォッチャのための予約許可規則およびプレゼンス内容規則を記憶するデータベースを備えるプレゼンスＸＭＬドキュメント操作サーバ（プレゼンスＸＤＭＳ）１１０と情報を交換する。プレゼンス・システム１０２は、予約を受け取り、管理してプレゼンス・リストにし、それによってウォッチャが単一の予約トランザクションのみを使用して多数のプレゼンティティを予約できるようなる、リソース・リスト・サーバ（ＲＬＳ）１１２を更に備える。ＲＬＳ１１２は、プレゼンス・リストを記憶するためのデータベースを備えるＲＬＳ  ＸＤＭＳ１１４において、ウォッチャのプレゼンス・リストを記憶し、検索する。
【００５０】
プレゼンスＸＤＭＳを１つ以上のＸＤＭＳに分割してもよく、例えば、許可を処理するための１つのＸＤＭＳ、スロットルと速度制限を処理するためのもう１つのＸＤＭＳというように、各ＸＤＭＳはあるタスクを処理する。
【００５１】
プレゼンス・ソース、ウォッチャ、プレゼンス・サーバ、ドキュメント・サーバ、リソース・リスト・サーバおよび同様のもののような、通信ネットワークにおける異なるエンティティは、コア・ネットワークと同様、１つ以上のプロトコルを介して通信する。これらのプロトコルには、セッション開始プロトコル（ＳＩＰ、ＩＥＴＦ  ＲＦＣ３２６１）、ＳＩＰ特有のイベント通知（ＩＥＴＦ  ＲＦＣ３２６５）、ＸＭＬコンフィギュレーション・アクセス・プロトコル（ＸＣＡＰ、ＩＥＴＦ  ＲＦＣ４８２５）またはその他の適当なプロトコルのような標準化プロトコルを含めてもよい。
【００５２】
図４−１２に関連してもっと詳細に説明するが、種々の方法で、本発明に係る方法を実装してもよい。以下の説明はプレゼンス・システムのエンティティに関するが、本発明はプレゼンス・システムの特定の実施形態に限定されず、プレゼンスに適合する任意の通信ネットワークに適用され、適合する可能性がある。
【００５３】
図４は、本発明の一般的な実施形態を示す。ウォッチャ１０４は、予約メッセージの形式、例えばＳＩＰ予約で第１のメッセージ２００をプレゼンス・システム１０２に送信する。第１のメッセージ２００には、第１のプレゼンス・パラメータはプレゼンス属性“場所”であるが、その第１のプレゼンス・パラメータに適用するための第１の遅延パラメータＤ１と、第２のプレゼンス・パラメータはプレゼンス属性“気分”であるが、その第２のプレゼンス・パラメータに適用するための第２の遅延パラメータＤ２とを含む。本予約メッセージに応答して、プレゼンス・システム１０２は、予約されたプレゼンティティＡ  １０６のプレゼンス・データを含む通知２０２を送信する。続いて、その位置を変更したプレゼンティティＡ  １０６は、公開メッセージの形式、例えばＳＩＰ公開で、プレゼンス・システム１０２に対して更新したプレゼンス・データ（位置＝イェブレ）を備える第２のメッセージ２０４をプレゼンス・システム１０２に送信する。プレゼンス・システム１０２は第２のメッセージ２０４を受信し、それに応じて第１の遅延パラメータ値Ｄ１を選択するが、それは、第２のメッセージ２０４が第１のプレゼンス・パラメータ、即ち、第１の属性の変更を表示し、第１のメッセージが属性“位置”に適用するためＤ１を設定するからである。続いて、選択した遅延パラメータ値Ｄ１により、プレゼンス・システム１０２は、通知メッセージ２０８、例えばＳＩＰ通知をウォッチャ１０４に送信する。
【００５４】
プレゼンティティＡ  １０６が第２のプレゼンス・パラメータを更新しなければならない場合、プレゼンティティＡ  １０６は、公開メッセージの形式、例えばＳＩＰ公開で、プレゼンス・システム１０２に対して更新したプレゼンス・データ（気分＝幸せ）を備える第２のメッセージ２０６をプレゼンス・システム１０２に送信する。プレゼンス・システム１０２は第２のメッセージ２０６を受信し、それに応じて第２の遅延パラメータ値Ｄ２を選択するが、それは、第２のメッセージ２０４は第２のプレゼンス・パラメータ、即ち、第２の属性の変更を表示し、第１のメッセージは、属性“気分”に適用するためＤ２を設定するからである。続いて、選択した遅延パラメータ値Ｄ２により、プレゼンス・システム１０２は、通知メッセージ２１０、例えばＳＩＰ通知をウォッチャ１０４に送信する。
【００５５】
図５は、本発明の代替の実施形態を示す。図４と図５の実施形態は組み合わせてもよい。ウォッチャ１０４は、予約メッセージの形式、例えばＳＩＰ予約で第１のメッセージ２００をプレゼンス・システム１０２に送信する。第１のメッセージ２００には、第１のプレゼンス・パラメータはプレゼンティティ“Ａ”であり、その第１のプレゼンス・パラメータに適用するための第１の遅延パラメータＤ１と、第２のプレゼンス・パラメータはプレゼンティティ“Ｂ”であり、その第２のプレゼンス・パラメータに適用するための第２の遅延パラメータＤ２とを含む。予約メッセージに応答して、プレゼンス・システム１０２は、予約したプレゼンティティＡ、Ｂのプレゼンス・データを含む通知２０２を送信する。続いて、そのプレゼンス・データを変更したプレゼンティティＡ  １０６は、公開メッセージの形式、例えばＳＩＰ公開で、プレゼンス・システム１０２に対して更新したプレゼンス・データを備える第２のメッセージ２０４をプレゼンス・システム１０２に送信する。プレゼンス・システム１０２は第２のメッセージ２０４を受信し、それに応じて第１の遅延パラメータ値Ｄ１を選択するが、それは、第２のメッセージ２０４が第１のプレゼンス・パラメータ、即ち、第１のプレゼンティティの変更を表示し、第１のメッセージはプレゼンティティ“Ａ”に適用するためＤ１を設定するからである。続いて、選択した遅延パラメータ値Ｄ１により、プレゼンス・システム１０２は、通知メッセージ２０８、例えばＳＩＰ通知をウォッチャ１０４に送信する。
【００５６】
プレゼンティティＢ  １０６’がプレゼンス・データを更新しなければならない場合、プレゼンティティＢ  １０６’は、公開メッセージの形式、例えばＳＩＰ公開で、プレゼンス・システム１０２に対して更新したプレゼンス・データを含む第２のメッセージ２０６をプレゼンス・システム１０２に送信する。プレゼンス・システム１０２は第２のメッセージ２０６を受信し、それに応じて第２の遅延パラメータ値Ｄ２を選択するが、それは、第２のメッセージ２０６が第２のプレゼンス・パラメータ、即ち、第２のプレゼンティティの変更を表示し、第１のメッセージがプレゼンティティ“Ｂ”に適用するためＤ２を設定するからである。続いて、選択した遅延パラメータ値Ｄ２により、プレゼンス・システム１０２は、通知メッセージ２１０、例えばＳＩＰ通知をウォッチャ１０４に送信する。
【００５７】
図６は、本発明の実施形態を示す。この実施形態では、異なるプレゼンス属性にスロットル値を含めるよう、ウォッチャ・フィルタ・スキーマを更に拡張する。プレゼンティティ、例えば、プレゼンティティ１０６のプレゼンス・データを予約する場合、ウォッチャ１０４には、ウォッチャ・フィルタを第１のメッセージ２００に含める。ウォッチャ・フィルタには、プレゼンス属性“気分（Ｍｏｏｄ）”には第１の遅延パラメータ値（１０分）を設定し、プレゼンス属性“位置（Ｌｏｃａｔｉｏｎ）”には第２の遅延パラメータ値（１時間）を設定する。ＲＬＳ１１２は、第１のメッセージ２００を受信し、ＩＭＳコアを介して、第１のメッセージ２００のウォッチャ・フィルタを含むメッセージ２００’をプレゼンス・サーバ１０３に送信する。ＲＬＳ１１２は、プレゼンス・サーバ１０３からの通知に基づき、予約したプレゼンティティ１０６のプレゼンス・データを有する通知２０２を送信する。プレゼンティティ１０６は、第１のプレゼンス・データを更新する必要があり、プレゼンス・サーバ１０３に第２のメッセージ２０４を送信する。プレゼンス・サーバ１０３は、問題になっている遅延パラメータ（１０分）を選択し、それに応じて通知メッセージ２０８をＲＬＳ１１２に送信し、ＲＬＳ１１２はウォッチャ１０４に更新したプレゼンス・データを通知メッセージ２０８’で転送する。プレゼンティティ１０６が第２のプレゼンス・データを更新しなければならない場合、プレゼンティティ１０６は、更新すべき第２のプレゼンス・データ（位置＝キスタ（Ｋｉｓｔａ））を備える第２のメッセージ２０６をプレゼンス・サーバ１０３に送信する。プレゼンス・サーバ１０３は、問題になっている遅延パラメータ（１時間）を選択し、それに応じてＲＬＳ１１２に通知メッセージ２１０を送信し、ＲＬＳ１１２は更新したプレゼンス・データを有する通知メッセージ２１０’をウォッチャ１０４に送信する。
【００５８】
図７は、本発明の更なる実施形態を示す。この実施形態では、各エントリまたは規定のリストのためのスロットル値をまた含むよう、ＲＬＳサービスとリソース・リストのスキーマを拡張する。ウォッチャ１０４は、プレゼンス・ネットワーク１０２のＲＬＳ  ＸＤＭＳ１１４に第１のメッセージ２００を送信する。ある実施形態では、プレゼンス・ネットワーク１０２の共用ＸＤＭＳに第１のメッセージを送信する。第１のメッセージ２００は、コンタクトまたはプレゼンティティを定めるリソース・リストを備えるＸＣＡＰ  ＰＵＴメッセージであり、第１のコンタクト（プレゼンティティＡ）または第１のコンタクト・グループのために第１の遅延パラメータ値（１０分）を表示し、第２のコンタクト（プレゼンティティＢ）または第２のコンタクト・グループのために第２の遅延パラメータ値（２４時間）を表示しる。
【００５９】
図７では、ＲＬＳ１１２は、遅延パラメータ値を処理し、第１のメッセージ２００の遅延パラメータ値および第２のメッセージ２０４、２０６それぞれのプレゼンス・データにより、ウォッチャ１０４に通知２０８、２１０を送信する。第２のメッセージ２０４、２０６は、プレゼンティティＡ  １０６およびプレゼンティティＢ  １０６’それぞれからの公開メッセージ２０４’および２０６’に応答した、プレゼンス・サーバ１０３からの通知である。
【００６０】
図８は、本発明の更なる実施形態を示す。この実施形態では、各エントリまたは規定のリストのためのスロットル値をまた含むよう、ＲＬＳサービスとリソース・リストのスキーマを拡張する。ウォッチャ１０４は、プレゼンス・ネットワーク１０２のＲＬＳ  ＸＤＭＳ１１４に第１のメッセージ２００を送信する。ある実施形態では、プレゼンス・ネットワーク１０２の共用ＸＤＭＳに第１のメッセージを送信する。第１のメッセージ２００は、コンタクトまたはプレゼンティティを定めるリソース・リストを備えるＸＣＡＰ  ＰＵＴメッセージであり、第１のコンタクト（プレゼンティティＡ）または第１のコンタクト・グループのために第１の遅延パラメータ値（１０分）を表示し、第２のコンタクト（プレゼンティティＢ）または第２のコンタクト・グループのために第２の遅延パラメータ値（２４時間）を表示しる。ＲＬＳ１１２は、ウォッチャから予約を受信し、ＲＬＳ  ＸＤＭＳ１１４から遅延パラメータ値を検索し、予約メッセージで遅延パラメータ値をプレゼンス・サーバ１０３に転送する。
【００６１】
図８では、プレゼンス・サーバ１０３は、遅延パラメータ値を処理し、第１のメッセージ２００の遅延パラメータ値および第２のメッセージ２０４、２０６それぞれのプレゼンス・データにより、ＲＬＳ１１２に通知２０８、２１０を送信する。第２のメッセージ２０４、２０６は、プレゼンティティＡ  １０６およびプレゼンティティＢ  １０６’それぞれからの公開メッセージである。ＲＬＳ１１２は、受信した通知２０８、２１０の情報を、通知２０８’、２１０’ でそれぞれウォッチャ１０４に転送する。
【００６２】
図９の実施形態では、制御レベルのスロットル値、即ち、異なるプレゼンティティのための遅延パラメータ値を含むよう、ウォッチャ・フィルタ・スキーマを更に拡張する。ウォッチャ１０４には、ＲＬＳ１１２に予約メッセージを送信してプレゼンス・データを予約する場合、第１のメッセージ２００にウォッチャ・フィルタを含む。ウォッチャ・フィルタでは、プレゼンティティＡに第１の遅延パラメータ値（１０分）を設定し、プレゼンティティＢに第２の遅延パラメータ値（２４時間）を設定する。ＲＬＳ１１２は第１のメッセージ２００を受信し、第１のメッセージ２００を、各々が問題となっているプレゼンティティに遅延パラメータ値を備える、多数の予約メッセージ２００’に分割する。プレゼンス・サーバ１０３に予約メッセージ２００’を送信する。ＲＬＳ１１２は、プレゼンス・サーバ１０３からの通知に基づき、予約したプレゼンティティのプレゼンス・データを有する通知２０２をウォッチャに送信する。プレゼンティティＡ  １０６はプレゼンス・データを更新する必要があり、第２のメッセージ２０４をプレゼンス・サーバ１０３に送信する。プレゼンス・サーバ１０３は、問題になっている遅延パラメータ（１０分）を選択し、それに応じて通知メッセージ２０８をＲＬＳ１１２に送信し、ＲＬＳ１１２は通知メッセージ２０８’でウォッチャ１０４に更新したプレゼンス・データを転送する。プレゼンティティＢ  １０６’が第２のプレゼンス・データを更新しなければならない場合、プレゼンティティＢ  １０６’は、更新すべき第２のプレゼンス・データを含む第２のメッセージ２０６をプレゼンス・サーバ１０３に送信する。プレゼンス・サーバ１０３は、問題になっている遅延パラメータ（２４時間）を選択し、それに応じてＲＬＳ１１２に通知メッセージ２１０を送信し、ＲＬＳ１１２は更新したプレゼンス・データを有する通知メッセージ２１０’をウォッチャ１０４に送信する。
【００６３】
図１０は実施形態を示し、ＲＬＳ１１４は遅延パラメータ値を処理し、コンタクト・レベルのスロットル値またはプレゼンティティを含むよう、ウォッチャ・フィルタ・スキーマを拡張する。ウォッチャには予約にウォッチャ・フィルタを含み、ウォッチャ・フィルタには、異なるプレゼンティティのために遅延パラメータ値（プレゼンティティＡには１０分、プレゼンティティＢには２４時間）を備える。
【００６４】
図１１は、ウォッチャ情報通知のスロットルを実装する実施形態を示す。プレゼンティティＡ  １０６は、予約要求２００をプレゼンス・サーバ１０３送信して、異なる状態のためにスロットル値を要求するが、予約メッセージには、“未決定”状態の通知には第１の遅延パラメータ値（１０分）を設定し、“動作中”状態の通知には第２の遅延パラメータ値（２４時間）を設定するフィルタを備える。プレゼンス・サーバ１０３は予約を処理し、第１のメッセージ２００と、ウォッチャＡ  １０４およびウォッチャＢ  １０４’ それぞれからの第２のメッセージ２０４、２０６との遅延パラメータ値により、通知２０８、２１０をプレゼンティティＡ  １０６に送信する。ある実施形態では、第３の遅延パラメータを“待ち”状態に設定してもよい。
【００６５】
図１２は、第１のエンティティと第２のエンティティを備えるエンティティと通信する、ＩＭＳネットワークのような、ＸＤＭサーバ３００を備える通信ネットワークにおけるドキュメント変更の通知のスロットルを実装する実施形態を示す。シーケンス図では、例えばウォッチャに実装している、通信ネットワークの第１のエンティティ（ＸＤＭクライアント１）３０２は、ドキュメント１（１０分）とドキュメント２（２４時間）それぞれに異なる遅延パラメータ値（スロットル値）を設定するフィルタを有する第１のメッセージをＸＤＭサーバ３００に送信する。本発明のある実施形態では、第２のエンティティ（ＸＤＭクライアント２）３０４は第１のメッセージを送信してもよい。ＸＤＭサーバ３００は予約を受信し、確認する。第２のエンティティ（ＸＤＭクライアント２）３０４が第２のメッセージ２０４、２０６を送信してドキュメントを更新する場合、ＸＤＭサーバ３０４は、要求の遅延パラメータ値により第１のエンティティ（ＸＤＭクライアント１）３０２に通知を送信する。
【００６６】
図１３は、本発明によるプレゼンス・サーバ１０３の非限定的実施形態を概略的に示す機能ブロック図である。プレゼンス・サーバ１０３には、プレゼンス・サーバの動作を制御し，連係させるコントローラ４００を備える。コントローラ４００は、本発明によるシステムのその他のエンティティに送信するメッセージのタイミング、形式および内容を制御するよう適合し、プレゼンス・サーバ１０３のメモリ４０１に連結する。更に、プレゼンス・サーバ１０３には、ウォッチャ・インタフェース４０２と、プレゼンスＸＤＭＳインタフェース４０４と、ＲＬＳインタフェース４０６と、プレゼンティティ・インタフェース４０８とを含む。通信ネットワークに接続するウォッチャへ、またはそこからメッセージを送信し、受信するよう適合させたウォッチャ・インタフェース４０２に、コントローラを接続する。更に、プレゼンス・システム１０２のプレゼンスＸＤＭＳへ、またはそこからメッセージを送信し、受信するよう適合させたプレゼンスＸＤＭＳインタフェース４０４に、コントローラを接続する。更に、ＲＬＳインタフェース４０６にコントローラ４００を接続し、プレゼンス・サーバがプレゼンス・システム１０２のＲＬＳ１１２と通信可能とする。プレゼンティティ・インタフェース４０８は、通信ネットワークに接続するプレゼンティティへ、またはそこからメッセージを送信し、受信することにより、プレゼンティティと通信可能とする。その他のエンティティへのインタフェース４０２、４０４、４０６、４０８の１つ以上を、１つのインタフェースに合成してもよい。
【００６７】
ある実施形態では、プレゼンス・サーバには共用ＸＤＭＳへのインタフェースを備える。
【００６８】
図１４は、本発明によるリソース・リスト・サーバ１１２の非限定的実施形態を概略的に示す機能ブロック図である。リソース・リスト・サーバ１１２には、リソース・リスト・サーバ１１２の動作を制御し，連係させるコントローラ５００を備える。コントローラ５００は、本発明によるシステムのその他のエンティティに送信するメッセージのタイミング、形式および内容を制御するよう適合し、リソース・リスト・サーバ１１２のメモリ５０１に接続される。更に、リソース・リスト・サーバ１１２には、ウォッチャ・インタフェース５０２と、ＲＬＳ  ＸＤＭＳインタフェース５０４と、プレゼンス・サーバ・インタフェース５０６とを含む。通信ネットワークに接続するウォッチャへ、またはそこからメッセージを送信し、受信するよう適合させたウォッチャ・インタフェース５０２に、コントローラ５００を接続する。更に、プレゼンス・システム１０２のＲＬＳ  ＸＤＭＳ１１４へ、またはそこからメッセージを送信し、受信するよう適合させたＲＬＳ  ＸＤＭＳインタフェース５０４に、コントローラ５００を接続する。更に、プレゼンス・サーバ・インタフェース５０６にコントローラ５００を接続し、リソース・リスト・サーバ１１２がプレゼンス・システム１０２のプレゼンス・サーバ１０３と通信可能とする。その他のエンティティへのインタフェース５０２、５０４、５０６の１つ以上を、１つのインタフェースに合成してもよい。
【００６９】
ある実施形態では、リソース・リスト・サーバには共用ＸＤＭＳへのインタフェースを備える。
【００７０】
図１５は、本発明によるウォッチャ・エンティティ１０４の非限定的実施形態を概略的に示す機能ブロック図である。ウォッチャ・エンティティ１０４には、ウォッチャ・エンティティ１０４の動作を制御し，連係させるコントローラ６００を備える。コントローラ６００は、本発明によるシステムのその他のエンティティに送信するメッセージのタイミング、形式および内容を制御するよう適合し、ウォッチャ・エンティティ１０４のメモリ６０１に接続する。更に、ウォッチャ・エンティティ１０４には、ユーザ・インタフェース６０５と、プレゼンス・サーバ（ＰＳ）インタフェース６０２と、ＲＬＳインタフェース６０４と、選択が自由のＲＬＳ  ＸＤＭＳインタフェース６０６とを含む。ユーザが希望のスロットル値を設定できるようにしたユーザからユーザ入力を受信するよう適合させたユーザ・インタフェース６０１に、コントローラ６００を連結する。プレゼンス・サーバ１０３とＲＬＳ１１２それぞれからメッセージを送信し、受信するため、プレゼンス・サーバ・インタフェース６０２とＲＬＳインタフェース６０４にコントローラ６０４を連結する。望ましくは、インタフェース６０２と６０４を無線通信用に適合させる。ある実施形態では、ＲＬＳ  ＸＤＭＳインタフェース６０６にコントローラを連結し、ウォッチャ・エンティティが、ＲＬＳ  ＸＤＭＳへ、またはそこからメッセージを送信し、受信できるようにする、。例えば、インタフェース６０２、６０４、６０６を介して、プレゼンス・システムに第１のメッセージを送信するよう、ウォッチャ・エンティティ１０４を適合させ、第１のメッセージには、異なるプレゼンス・パラメータのために遅延パラメータ値を備える。遅延パラメータ値には、第１のプレゼンス・パラメータに第１の遅延パラメータ値を、第２のプレゼンス・パラメータに第２の遅延パラメータ値を備えてもよい。プレゼンス・パラメータには、第１のプレゼンス属性と第２のプレゼンス属性および／または第１のプレゼンティティと第２のプレゼンティティとを備えてもよい。望ましくは、第１のメッセージは、遅延パラメータ値を有するフィルタを備える予約メッセージである。ある実施形態では、第１のメッセージは、遅延パラメータ値を有するリソース・リストを備えるＰＵＴメッセージである。ウォッチャ・エンティティは移動端末またはアプリケーション・サーバであってもよい。
【００７１】
図１６は、本発明によるＸＤＭサーバ３００の非限定的実施形態を概略的に示す機能ブロック図である。ＸＤＭサーバ３００には、ＸＤＭサーバ３００の動作を制御し，連係させるコントローラ７００を備える。コントローラ７００は、システムのその他のエンティティ、例えば本発明によるエンティティに送信するメッセージのタイミング、形式および内容を制御するよう適合し、ＸＤＭサーバ３００のメモリ７０１に接続する。更に、ＸＤＭサーバ３００には、加入者インタフェース７０２と、プレゼンティティ・インタフェース７０２とを含む。プレゼンスＳＩＭＰＬＥネットワークのＸＤＭサーバ、例えばプレゼンスＸＤＭＳ１１０にＸＤＭサーバ３００を実装してもよく、その場合は、本発明によるＸＤＭサーバ３００にはプレゼンス・サーバ（ＰＳ）インタフェース７０６を備える。プレゼンスに必ずしも適合していないＩＭＳ／ＳＩＰシステムでＸＤＭサーバを使用する場合は、プレゼンス・サーバ・インタフェース７０６を削除してもよい。ＸＤＭサーバ３００のドキュメント変更に対して、加入者へ、またはそこからメッセージを送信し、受信するよう適合する加入者インタフェース７０２に、コントローラ７００を接続する。更に、ＸＤＭサーバ３００のプレゼンス情報を更新するプレゼンティティへ、またはそこからメッセージを送信し、受信するよう適合させたプレゼンティティ・インタフェース７０４に、コントローラ７００を接続する。更に、もし存在するなら、プレゼンス・サーバ１０３および／またはプレゼンス・システム１０２のリソース・リスト・サーバ１１２へ、またはそこからメッセージを送信し、受信するよう適合させた選択が自由のプレゼンス・サーバ／リソース・リスト・サーバ・インタフェース７０６に、コントローラ７００を接続してもよい。その他のエンティティへのインタフェース７０２、７０４、７０６の１つ以上を、１つのインタフェースに合成してもよい。
【００７２】
注意すべきことであるが、添付の図に示した本発明の典型的な実施形態に加えて、本発明は異なる形式で実装されてもよく、本申請書で説明した実施形態に限定されると本発明を解釈すべきでない。むしろ、本開示が徹底的で完全であり、当業者に本発明の概念を十分に伝えるであろうというために、本申請書で示した実施形態を提供している。
【図１】
2011511529.tif 000003
【図２】
2011511529.tif 000004
【図３】
2011511529.tif 000005
【図４】
2011511529.tif 000006
【図５】
2011511529.tif 000007
【図６】
2011511529.tif 000008
【図７】
2011511529.tif 000009
【図８】
2011511529.tif 000010
【図９】
2011511529.tif 000011
【図１０】
2011511529.tif 000012
【図１１】
2011511529.tif 000013
【図１２】
2011511529.tif 000014
【図１３】
2011511529.tif 000015
【図１４】
2011511529.tif 000016
【図１５】
2011511529.tif 000017
【図１６】
2011511529.tif 000018
【国際調査報告】
2011511529.tif 000019
2011511529.tif 000020
2011511529.tif 000021
2011511529.tif 000022